【手続補正書】
【提出日】平成18年2月22日(2006.2.22)
【手続補正１】
【補正対象書類名】明細書
【補正対象項目名】特許請求の範囲
【補正方法】変更
【補正の内容】
【特許請求の範囲】
【請求項１】ストロボ発光を行うストロボ発光部と、
照明装置の中央部に配置され、ストロボ発光時に充放電する柱状のコンデンサと、
ストロボ発光を制御する回路およびストロボ発光モード切り換え用のスイッチが実装される基板と、
前記スイッチと係合し、外部操作されることに連動して前記スイッチの状態を変化させて前記ストロボ発光モードを切り換えるための操作部材と、
前記ストロボ発光部、前記基板および前記コンデンサを保持する保持部材とを有する照明装置。
【請求項２】前記操作部材は、少なくとも二つの受け面を有しており、該受け面は前記基板の少なくとも一つの端面と当接することを特徴とする請求項１に記載の照明装置。
【請求項３】前記操作部材は、少なくとも二つの受け面を有しており、該受け面は前記保持部材の一部である板部に形成された突起形状の端面の少なくとも一つと当接することを特徴とする請求項１に記載の照明装置。
【請求項４】ストロボ発光を行うストロボ発光部と、
照明装置の中央部に配置され、ストロボ発光時に充放電する柱状のコンデンサと、
ストロボ発光を制御する回路およびストロボ発光モード切り換え用のスイッチが実装される基板と、
前記スイッチと係合し、外部操作されることに連動して前記スイッチの状態を変化させて前記ストロボ発光モードを切り換えるための操作部材と、
前記ストロボ発光部、前記基板および前記コンデンサを保持する保持部材とを有し、
前記基板と前記保持部材の一部である板部は、前記コンデンサを挟んで両側に平行に位置し、
前記操作部材は、前記コンデンサの背後に位置すると共に、前記コンデンサを避けた両側に二つの受け面を有し、該各受け面が前記基板と前記板部の各端面に当接することによって保持されることを特徴とする照明装置。
【請求項５】ストロボ発光を行うストロボ発光部と、
照明装置の中央部に配置され、ストロボ発光時に充放電する柱状のコンデンサと、
ストロボ発光を制御する回路およびストロボ発光モード切り換え用のスイッチが実装される二つの基板と、
前記スイッチと係合し、外部操作されることに連動して前記スイッチの状態を変化させて前記ストロボ発光モードを切り換えるための操作部材と、
前記ストロボ発光部、前記基板および前記コンデンサを保持する保持部材とを有し、
前記二つの基板は、前記コンデンサを挟んで両側に平行に位置し、
前記操作部材は、前記コンデンサの背後に位置すると共に、前記コンデンサを避けた両側に受け面を有し、該各受け面が前記二つの基板の各端面に当接することによって保持されることを特徴とする照明装置。
【請求項６】前記操作部材は、前記二つの受け面が前記各端面と当接した状態で直線状にスライド操作されることを特徴とする請求項４又は５に記載の照明装置。
【手続補正２】
【補正対象書類名】明細書
【補正対象項目名】０００７
【補正方法】変更
【補正の内容】
【０００７】
【課題を解決するための手段】上記目的を達成するために、本発明は、ストロボ発光を行うストロボ発光部と、照明装置の中央部に配置され、ストロボ発光時に充放電する柱状のコンデンサと、ストロボ発光を制御する回路およびストロボ発光モード切り換え用のスイッチが実装される基板と、前記スイッチと係合し、外部操作されることに連動して前記スイッチの状態を変化させて前記ストロボ発光モードを切り換えるための操作部材と、前記ストロボ発光部、前記基板および前記コンデンサを保持する保持部材とを有する照明装置とするものである。
また、本発明は、ストロボ発光を行うストロボ発光部と、照明装置の中央部に配置され、ストロボ発光時に充放電する柱状のコンデンサと、ストロボ発光を制御する回路およびストロボ発光モード切り換え用のスイッチが実装される基板と、前記スイッチと係合し、外部操作されることに連動して前記スイッチの状態を変化させて前記ストロボ発光モードを切り換えるための操作部材と、前記ストロボ発光部、前記基板および前記コンデンサを保持する保持部材とを有し、前記基板と前記保持部材の一部である板部が、前記コンデンサを挟んで両側に平行に位置し、前記操作部材が、前記コンデンサの背後に位置すると共に、前記コンデンサを避けた両側に二つの受け面を有し、該各受け面が前記基板と前記板部の各端面に当接することによって保持される照明装置とするものである。
また、本発明は、ストロボ発光を行うストロボ発光部と、照明装置の中央部に配置され、ストロボ発光時に充放電する柱状のコンデンサと、ストロボ発光を制御する回路およびストロボ発光モード切り換え用のスイッチが実装される二つの基板と、前記スイッチと係合し、外部操作されることに連動して前記スイッチの状態を変化させて前記ストロボ発光モードを切り換えるための操作部材と、前記ストロボ発光部、前記基板および前記コンデンサを保持する保持部材とを有し、前記二つの基板は、前記コンデンサを挟んで両側に平行に位置し、前記操作部材は、前記コンデンサの背後に位置すると共に、前記コンデンサを避けた両側に受け面を有し、該各受け面が前記二つの基板の各端面に当接することによって保持される照明装置とするものである。
【手続補正３】
【補正対象書類名】明細書
【補正対象項目名】０００９
【補正方法】変更
【補正の内容】
【０００９】
（実施の第１の形態）図１及び図２は本発明の実施の第１の形態に係る撮像装置用照明装置を示す斜視図であり、図示のように、照明装置１は、後カバー１１、前カバー１２、窓部材１３、本体通信部材１４、ロック部材１５、操作つまみ１７で外観部を構成されている。なお、１２１はランプから発せられる熱を装置外に放出するための排熱口である。
【手続補正４】
【補正対象書類名】明細書
【補正対象項目名】００１０
【補正方法】変更
【補正の内容】
【００１０】
図３は、上記照明装置１をビデオカメラ２の接続部３を介して接続した状態を示す図であり、ビデオカメラ２の動作に連動して発光等の動作が制御されることになる。
【手続補正５】
【補正対象書類名】明細書
【補正対象項目名】００１１
【補正方法】変更
【補正の内容】
【００１１】
図４は、上記照明装置１の内部構成を示す分解斜視図である。
【手続補正６】
【補正対象書類名】明細書
【補正対象項目名】００３２
【補正方法】変更
【補正の内容】
【００３２】
図１１〜図１３は、照明装置１の基板３０，４１とその実装部品、操作つまみ１７とその保持機構について示した図であり、図１１は、基板組み立て前の斜視図である。
【手続補正７】
【補正対象書類名】明細書
【補正対象項目名】図面の簡単な説明
【補正方法】変更
【補正の内容】
【図面の簡単な説明】
【図１】本発明の実施の第１の形態に係る照明装置の外観斜視図である。
【図２】本発明の実施の第１の形態に係る照明装置の外観斜視図である。
【図３】本発明の実施の第１の形態に係る照明装置をビデオカメラに接続した際の外観斜視図である。
【図４】本発明の実施の第１の形態に係る照明装置の内部構成を示す分解斜視図である。
【図５】図４に示す本体ユニットの内部構成を示す分解斜視図である。
【図６】本発明の実施の第１の形態に係る照明装置の組み立て後を示す断面図である。
【図７】本発明の実施の第１の形態に係る照明装置の組み立て前の分解斜視図である。
【図８】本発明の実施の第１の形態に係る照明装置において基板の組み立て後を示す斜視図である。
【図９】本発明の実施の第１の形態に係る照明装置において正面側から見た基板組み立て後の斜視図である。
【図１０】本発明の実施の第１の形態に係る照明装置において本体ユニットとその関連する部品を上面から見た図である。
【図１１】本発明の実施の第２の形態に係る照明装置において基板の組み立て前を示す斜視図である。
【図１２】本発明の実施の第２の形態に係る照明装置において基板の組み立て後を示す斜視図である。
【図１３】本発明の実施の第２の形態に係る照明装置の内部構成を示す斜視図である。
【図１４】本発明の実施の第２の形態に係る照明装置の内部構成を示す上面図である。
【手続補正８】
【補正対象書類名】明細書
【補正対象項目名】符号の説明
【補正方法】変更
【補正の内容】
【符号の説明】
１      照明装置
２      ビデオカメラ
１７    操作つまみ
２０    本体ユニット
２１    本体
２４    ストロボ発光ユニット
２５    キセノン管
２６    ストロボ反射笠
２７    ホルダー
２８    ライトガイド
２９    反射板
３０    基板
３１    切り換えスイッチ
３２    メインコンデンサ
３３    トリガーコイル
３４    発振トランス
４１    基板